(57)【要約】【課題】組立架台を省くこと、つまり孤立化した被災地などで必要・目的とされる能力を備えた大型のバックホーなどの自走式建設機械を必要とする場合、組立架台を用いることなく組み立てることのできる孤立化被災地などでの自走式建設機械の組立方法を提供する。【解決手段】被災地等において、その復興作業に要する吊手段を具備した自走式建設機械を導入するにあたり、それを多数に分割されたユニットとして空路で搬入し、それを使用する前提としての自走式建設機械の組立方法であって、比較的小型の自走式建設機械を組み立て、この初期自走式建設機械の使用で重量物のユニットを含む大型の次期自走式建設機械を組み立て、このように大型を小型に順次委ねることにより目的とする大型の自走式建設機械を最終的に組み立てることを特徴とする。【選択図】    なし【特許請求の範囲】
【請求項１】
被災地等において、その復興作業に要する吊手段を具備した自走式建設機械を導入するにあたり、それを多数に分割されたユニットとして空路で搬入し、それを使用する前提としての自走式建設機械の組立方法であって、比較的小型の自走式建設機械を組み立て、この初期自走式建設機械の使用で重量物のユニットを含む大型の次期自走式建設機械を組み立て、このように大型を小型に順次委ねることにより目的とする大型の自走式建設機械を最終的に組み立てることを特徴とする自走式建設機械の組立方法。
【請求項２】
初期の自走式建設機械がカニクレーンであり、次期以降の自走式建設機械については、クレーン先端のバケットが手前向きであって、クレーン先端に吊手段のフック付きであるバックホーとすることを特徴とする請求項１記載の自走式建設機械の組立方法。
【請求項３】
自走式建設機械が無線操縦仕様であって、自走式建設機械の組立作業を無線操縦と併用することを特徴とする請求項１又は２記載の自走式建設機械の組立方法。
【発明の詳細な説明】
【技術分野】
【０００１】
この発明は、例えば地震や豪雨などの災害で道路が寸断されるなどして孤立化した被災地などにおいて、そこでの復興作業に要するバックホーなどの自走式建設機械の組立方法に関する。
【背景技術】
【０００２】
地震や降雨などの災害では、道路の寸断によりインフラとしての交通手段が断たれた結果、一定の地域が陸の孤島と化すことがある。この場合、災害復旧が緊急となるが、その作業に適するバックホーなどの大型の自走式建設機械を導入したくてもその搬入が不能となる。
【０００３】
被災地などの復興のために行う緊急の土木建設作業には、バックホーが最も有用な戦力となり多用される。クレーン兼用のバックホーは、油圧ショベルと総称される自走式建設機械のうち、アームの先端のバケットをオペレータ側に掻き込み得るように（手前向きに）取り付け、且つアームの先端にはワイヤーを掛け得るクレーンフックが取り付けられたもので、バケットに妨げられることなくフックにワイヤーを掛け得るため重量物の吊り上げも可能である。しかし、被災地では想定外の吊能力が必要となる場面に遭遇し、その場合には、組立が関係して重量のあるバックホーの調達が困難であった。
【０００４】
従来、この問題を解決するために、必要な能力のバックホーをいくつかのユニットに分割しヘリコブターで搬入する一方、比較的小型であって吊り上げにより組立の能力のあるカニクレーンも同時に搬入し、カニクレーンでそのバックホーを組み立てるという手法が取られていた。しかし、この場合でも、バックホーによっては、カニクレーンでは持ち上げられない主フレームなどのユニットが存在するために、その据え付けのため別途に組立架台を使用する次のような作業を採用していた。
【０００５】
すなわち、カニクレーンとバックホーをユニットとしてヘリコブターで搬入したとき、カニクレーン２０をまず組み立て、図２に示すように、そのカニクレーン２０を使って、目的のバックホーＢ（図１）を組み立てるのであるが、まず、所定箇所に基本となるトラックフレーム２４を組み立てると、次の作業では、最も重量のある主フレーム２６をトラックフレーム２４に搭載することになるが、カニクレーン２０の吊能力の不足から組立架台２５を使用する必要があった。
【０００６】
図２はその要領を示したもので、トラックフレーム２４と主フレーム２６との双方に被さるように、組立架台２５を組み立て、図３に示すように、組立架台２５で主フレーム２６をワイヤーや滑車などで吊り上げ、所定箇所に据え付けることにより組み立てていた。このように従来は、架台の組立、ワイヤーや滑車の取付け、それらを利用しての作業員による主フレーム２６の吊り上げ、据え付け、そして架台の解体など、非常に多くの工程とコストを要していた。
【０００７】
組立架台２５は、主フレーム２６の据え付けが終わると不要となる。この後は、エンジン、その他の部材やユニットを取り付けるなどの作業となり、カニクレーンを使用する一般作業となるため、その作業の妨げにならないよう組立架台２５は撤去される。
【発明の概要】
【発明が解決しようとする課題】
【０００８】
上記のように、従来、被災地において必要・目的とする比較的大能力のバックホーを組み立てるには、カニクレーンの一般的な能力を補うために、過大な組立架台を組立て、その後それを解体する作業が必須となり、その資材の搬入搬出の費用はもちろん、作業員の員数や組立時間などで緊急性に欠けるとともに多大な経費を要していた。
【０００９】
即ち、この発明は、上記のような実情に鑑みて、組立架台を省くこと、つまり孤立化した被災地などで必要・目的とされる能力を備えた大型のバックホーなどの自走式建設機械を必要とする場合、組立架台を用いることなく組み立てることのできる孤立化被災地などでの自走式建設機械の組立方法を提供することを課題とした。
【課題を解決するための手段】
【００１０】
上記の課題を解決するために、この発明は、被災地等において、その復興作業に要する吊手段を具備した自走式建設機械を導入するにあたり、それを多数に分割されたユニットとして空路で搬入し、それを使用する前提としての自走式建設機械の組立方法であって、比較的小型の自走式建設機械を組み立て、この初期自走式建設機械の使用で重量物のユニットを含む大型の次期自走式建設機械を組み立て、このように大型を小型に順次委ねることにより目的とする大型の自走式建設機械を最終的に組み立てることを特徴とする自走式建設機械の組立方法を提供する。
【００１１】
上記の構成によれば、初期の自走式建設機械で次の自走式建設機械をというように、順次大型の自走式建設機械を組み立てるので、所望の能力の自走式建設機械を得るために、従来方式の組立架台を必要としない。
【発明の効果】
【００１２】
以上説明したように、この発明によれば、孤立化被災地などで必要・目的とする能力を備えた大型のバックホーなどの自走式建設機械を現地で組み立てることができ、陸の孤立化した被災地での自走式建設機械の緊急使用が可能であるばかりか、組立架台を用いることなく省くことで、大幅に人員及び経費を節減できるという優れた効果がある。
【図面の簡単な説明】
【００１３】
【図１】この発明方法に係る自走式建設機械の一例を示すバックホーの斜視図である。
【図２】従来例の説明図である。
【図３】従来例の説明図である。
【発明を実施するための形態】
【００１４】
この発明においては、自走式建設機械としてはカニクレーンやバックホーが好適なものとして挙げられるが、組立に使用できるものであれば必ずしもこれに限定するものではない。
【実施例１】
【００１５】
以下に、或る地域が地震や豪雨、津波などで道路の寸断、山崩れなどの発生により陸の孤島化した場合を想定し、その復興のために緊急に要するパワーショベルの自走式建設機械の組立について説明する。
【００１６】
孤立化被災地では、被災現場は、余震、崖崩れ、鉄砲水などで二次災害が発生するおそれのある危険地帯であるが、比較的安全な平地にヘリコブターが荷卸しできるように地均しがなされる。ここに投入される作業員は、クレーンのオペレータと組立作業員３名から構成される。
【００１７】
ここで組み立てるバックホーＢは、図１に示すように、キャタピラ付きの車体１に基部アーム３と先部アーム５とからなるクレーン２が装備され、先部アーム５の先端にバケット７がオペレータ側に掻き込まれる向きに取り付けられ、また、その取り付け箇所に、ワイヤーを掛けるクレーンフック９が取り付けられる。また、いずれのパワーショベルも無線操縦仕様（ラジコン式）、分解組立型、クレーンフック９付きである。
【００１８】
（１）ヘリコブターでは、最初にカニクレーン（総重量２ｔ）の一組のユニットが、次いで小型のバックホー（総重量２ｔ）の一組のユニットが搬送されてくる。そのうち、カニクレーンについては、軽量部材が多いので、通常の工具などを使って組み立てる。バックホーについては、小型ではあるがそれでも主フレームなどの重い部材が存在するので、その据え付けにカニクレーンが使用される。これで無線操縦付きバックホー１号機が完成する。
（２）次に、ヘリコブターでワンランク上の中型のバックホー２号機（２．８ｔ）のユニットが搬送されてきているので、同じ作業員によりそれを組み立てる。しかし、この組立には、先に組み立てたバックホー１号機を使用する。現場は地滑り地帯であって、この場合、無線操縦を併用して組立作業の安全性を確保する。
（３）次に、さらに大型で能力の高いバックホー３号機のユニットが送られているので、バックホー２号機を無線操縦併用で使用することによりバックホー３号機を組み立てる。これで最終の目的の大型分解型の組立が完了する。
【００１９】
復興作業には、１号機、２号機、３号機のバックホーを駆使して作業能率を高めることができ、困難な作業も能力の高い３号機の使用により容易に達成できる。
【符号の説明】
【００２０】
Ｂ  自走式建設機械（バックホー）
２  クレーン
９  フック
【図１】
2013144878.tif 000002
【図２】
2013144878.tif 000003
【図３】
2013144878.tif 000004